【手続補正書】
【提出日】平成27年3月31日(2015.3.31)
【手続補正１】
【補正対象書類名】特許請求の範囲
【補正対象項目名】全文
【補正方法】変更
【補正の内容】
【特許請求の範囲】
【請求項１】
骨、特に大腿骨、の端部での人工関節、特に人工膝関節の大腿骨部品を挿入する一式の装具であって、
ａ）  案内板（１２）及び案内板から横に突出する主ゲージ（１１）を有するベースフレーム（１）と、
ｂ）  定位置にて骨にベースフレーム（１）を配置する締結装置（９９）と、
ｃ）  本体（７０）及び案内片（８）を有する曲線状のミリングゲージ（７）と、ここで案内片（８）は、本体（７０）に関して曲線状の案内通路（７４）に沿って移動可能であり、研削ツール（８５）用の受け口（８７）を有し、
ｄ）  曲線状のミリングゲージがベースフレーム（１）へ挿入された状態にて、明確に規定された相対位置に曲線状のミリングゲージ（７）を置く整列装置（１７、７７）と、
を備えた装具。
【請求項２】
曲線状の案内通路（７４）は、一定ではない曲率を有し、これは好ましくは案内通路（７４）に沿って連続的に変化し、それぞれの曲率中心（Ｚ）は好ましくは通路にわたり２ｍｍから最大６ｍｍまで背部に移動することを特徴とする、請求項１に記載の装具。
【請求項３】
案内片（８）は、フォロアー（８４）を介して案内通路（７４）に装着され、本体においてピボット軸受（８１、８３）を介して旋回可能に装着される、ことを特徴とする、請求項１又は２に記載の装具。
【請求項４】
ピボット軸受（８１、８３）は、フォロアー（８４）から離れて配置され、両側で旋回可能に装着されるトグルリンク機構（８０）を有することを特徴とする、請求項３に記載の装具。
【請求項５】
トグルリンク機構（８０）は、本体（７０）に取り外し可能に装着されることを特徴とする、請求項３に記載の装具。
【請求項６】
案内片（８）は、取り外し可能に設計されることを特徴とする、請求項３から５のいずれかに記載の装具。
【請求項７】
案内片（８）と本体（７０）との間に角度ロックが設けられ、案内通路（７４）の伸展部（７４’）へ案内片（８）を移動することによって分離可能であることを特徴とする、請求項６に記載の装具。
【請求項８】
角度ロックは、ピボット軸受スリーブ（８３）、及び案内片（８）の１つの角度位置でのみ開く非円形のピボットピン（８１）を備えることを特徴とする、請求項７に記載の装具。
【請求項９】
ピボット軸受スリーブ（８３）は、圧縮部（８３’）を介して側面の方へ開いており、ピボットピン（８１）は、最小幅（ｄ）の経路及び最大幅（Ｄ）の経路を有し、圧縮部（８３’）の幅は、最小幅（ｄ）の経路の通過に十分であるが最大幅（Ｄ）の経路の通過には十分ではない、ことを特徴とする請求項８に記載の装具。
【請求項１０】
受け口（８７）は、研削ツール（８５）用の軸（８７’）を規定し、この軸はフォロアー（８４）とピボット軸受（８１、８３）との間のラインに斜角で配置され、好ましくは１０〜３５度の間の範囲で、さらに好ましくは１５〜３０度の間である、ことを特徴とする請求項３から９のいずれかに記載の装具。
【請求項１１】
案内片（８）における研削ツール（８５）用の受け口（８７）は、深さ止めと協働する、ことを特徴とする請求項１０に記載の装具。
【請求項１２】
深さ止めは、受け口（８７）における階段状の座部として形成され、受け口は好ましくは片側方向に開いている、ことを特徴とする請求項１１に記載の装具。
【請求項１３】
案内片（８）は、研削ツール（８５）用の２つの受け口を有する、ことを特徴とする請求項１０，１１，１２のいずれかに記載の装具。
【請求項１４】
２つの受け口は、末広がりの軸（８７’）を有し、その結果、研削ツール（８５）は挿入された状態において外側を向く、ことを特徴とする請求項１３に記載の装具。
【請求項１５】
ピボット軸受（８１、８３）を有する案内片（８）、及び適用可能なところで、トグルリンク機構（８０）は、本体（７０）の一側面から分解可能であり、他方側面において再組立される、ことを特徴とする請求項３から９のいずれかに記載の装具。
【請求項１６】
固定穴は、本体（７０）及び／又は案内通路（７４）に設けられる、ことを特徴とする請求項１から１５のいずれかに記載の装具。
【請求項１７】
整列用挿入物（３）は、案内板（１２）における規定位置で交換可能に配置され、整列本体、好ましくは骨ブローチング・ツール（９２）を受け入れるように設計されている、ことを特徴とする請求項１から１６のいずれかに記載の装具。
【請求項１８】
整列本体用の受け口（３１）は、片側面で開いている、ことを特徴とする請求項１７に記載の装具。
【請求項１９】
互いに関してＶ字形状で整列された２つの切り溝（４１）を有し、相反固定（４２、４３）を有する前部ソーイング挿入物（４０）を備えた、ことを特徴とする請求項１から１８のいずれかに記載の装具。
【請求項２０】
案内板（１２）の端において両側に配置するために設計され、異なる高さのスペーサー（３５）を備えた、ことを特徴とする請求項１から１９のいずれかに記載の装具。
【請求項２１】
第１ミリング挿入物（４）は、案内板（１２）に交換可能に取り付け可能であり、ブローチミリングカッター（４９）用の規定の受け口（４５）を形成し、この受け口はある位置にミリングカッター（４９）を保持し及び深さ止めを形成する、ことを特徴とする請求項１から２０のいずれかに記載の装具。
【請求項２２】
案内板（１２）において正確に角度付けされた状態でプラグ受け口（２７）をふさぐことができる隙間ゲージ（３９）を備える、ことを特徴とする請求項１から２１のいずれかに記載の装具。
【請求項２３】
第２ミリング挿入物（５）は、案内板（１２）に交換可能に取り付け可能であり、カッターがいずれの受け口をふさぐことができる形態でバルク・ミリングカッター（５９）を受け入れるための２つの受け口（５１）を形成し、２つの受け口（５１）は好ましくは異なる深さ止め及び横方向へのオフセットを有する、ことを特徴とする請求項１から２２のいずれかに記載の装具。
【請求項２４】
第２の補助のミリング挿入物（５’）は、案内板（１２）に交換可能に取り付け可能であり、カッターがいずれの受け口をふさぐことができる形態でバルク・ミリングカッター（５９）を受け入れるための２つの受け口（５５）を形成し、２つの受け口（５５）は好ましくは同じ深さ止めを有し、及び／又は横方向へのオフセットを有しない、ことを特徴とする請求項１から２３のいずれかに記載の装具。
【請求項２５】
第３のミリング挿入物（６）は、案内板に取り付けることができ、深さミリングカッター（６８、６９）用の溝付リンクガイド（６１）を形成し、深さミリングカッター（６８、６９）は好ましくは溝付リンクスライダ（６５）に受け入れられる、ことを特徴とする請求項１から２４のいずれかに記載の装具。
【請求項２６】
溝付リンクスライダ（６５）は、ハンドル（６４）を有する、ことを特徴とする請求項２５に記載の装具。
【請求項２７】
異なるミリング深さが達成されるように、深さミリングカッター（６８）及び第２の深さミリングカッター（６９）と好ましくは協働する深さ止め（６７）を設ける、ことを特徴とする請求項２６に記載の装具。
【請求項２８】
溝付リンクスライダ（６５）を受け入れ可能な溝付リンク窓（６１）を設ける、ことを特徴とする請求項２５から２７のいずれかに記載の装具。
【請求項２９】
溝付リンクガイドは、蝶番の形態で互いに接続された２つの案内レバー（６０’、６１’）を備え、深さミリングカッター（６８）用の受け口（６７’）は、案内板（１２）における挿入物（６’）の一端に配置され他端で旋回可能に配置される、ことを特徴とする請求項２５から２８のいずれかに記載の装具。
【請求項３０】
案内板（１２）は、異なる挿入物（３、４、５）用の直線ガイド（２）、好ましくはダブテールガイドを有する、ことを特徴とする請求項１から２９のいずれかに記載の装具。
【請求項３１】
異なるサイズの曲線状のミリングゲージ（７）を備える、ことを特徴とする請求項１から３０のいずれかに記載の装具。
【請求項３２】
一対の挿入トング（７６）は、曲線状のミリングゲージ（７）に設けられ、規定の位置にてフォームフィッティング形態で係合し、曲線状のミリングゲージ（７）が案内板（１２）に関して明確な位置で挿入されるように整列突起（７７）を介して整列装置（１７）と協働する、ことを特徴とする請求項１から３１のいずれかに記載の装具。
【請求項３３】
互いから離れて配向され、ベースフレーム（１）において横方向に配置される整列ロッド（３８）を備える、ことを特徴とする請求項１から３２のいずれかに記載の装具。
【請求項３４】
人工関節の固定ピンの受け入れを形成するための深さ止めを有するドリル（９８）を備える、ことを特徴とする請求項１から３３のいずれかに記載の装具。
【請求項３５】
骨におけるくぼみ、特に大腿骨の髄腔を大きくする異なる突錐（９０、９１）を備える、ことを特徴とする請求項１から３４のいずれかに記載の装具。
【請求項３６】
停止板（９７）を受け取るように設計され厚みを減じた凹部（９６）をそのシャフトが有するやすり／ブローチング突錐（９２）を備える、ことを特徴とする請求項１から３５のいずれかに記載の装具。
【請求項３７】
やすり／ブローチング突錐（９２）は、２つ、３つ、あるいは４つの刃先（９３）を有する、ことを特徴とする請求項３６に記載の装具。
【請求項３８】
相対的な垂直方向のオフセットを有する刃先（９３）に歯（９４）が配置される、ことを特徴とする請求項３７に記載の装具。
【請求項３９】
ベースフレーム（１）を位置決めする整列ゲージ（３９’）が設けられ、整列装置（１７）に作用する、ことを特徴とする請求項１から３８のいずれかに記載の装具。